(57)【要約】【課題】棒状化粧料の折損を極力防止することができる機構を有し、その機構を容易に組み込むことができる化粧料繰出容器を提供する。【解決手段】化粧料繰出容器１に衝撃荷重や曲げ荷重が作用した場合、化粧料繰出容器１に進退駆動可能に内蔵されて棒状化粧料Ａを把持する芯チャック４は、可撓性のある細径の連結部４Ｃにより屈曲して曲げ荷重を吸収する。このため、芯チャック４のチャック部４Ａに把持された棒状化粧料Ａには無理な曲げ荷重が作用せず、棒状化粧料Ａの折損が未然に防止される。また、この化粧料繰出容器の製造に当たり、芯チャックは、テーパ容器の周面に形成され開口部を通してテーパ容器内に容易に組み込まれる。【選択図】　　　　図１
2004097549.tif 000002
【特許請求の範囲】
【請求項１】
棒状化粧料を把持する芯チャックが進退駆動可能に内蔵されている化粧料繰出容器であって、
前記棒状化粧料の繰出口が先端部に開口された筒状のテーパ容器と、このテーパ容器の基端部側を覆って前記テーパ容器に相対回転自在に装着される筒状または有底筒状のカバー容器とで容器本体が構成されており、
前記芯チャックは、棒状化粧料の基端部を把持するチャック部と、容器本体に構成された進退駆動機構に係合して進退される係合部とが可撓性のある細径の連結部を介して相互に連結された構造を有し、
前記テーパ容器の基端部側の周面には、前記芯チャックを半径方向から挿入可能とさせる開口部が形成されていることを特徴とする化粧料繰出容器。
【請求項２】
請求項１に記載の化粧料繰出容器であって、前記芯チャックの係合部と前記テーパ容器との間には、係合部の回転止め機構および進退ガイド機構が構成され、前記係合部と前記カバー容器との間には、係合部を進退駆動するネジ機構が構成されていることを特徴とする化粧料繰出容器。
【請求項３】
請求項２に記載の化粧料繰出容器であって、前記進退ガイド機構は、前記テーパ容器の軸方向に沿ってその内部に形成されたガイド孔と、このガイド孔に摺動自在に係合する断面形状に形成された前記係合部とで構成され、前記回転止め機構は、前記テーパ容器の軸方向に沿って前記ガイド孔の周面に形成され、前記開口部に連通する係止溝と、この係止溝に係合するように前記係合部に形成された係合片とで構成されていることを特徴とする化粧料繰出容器。
【請求項４】
請求項３に記載の化粧料繰出容器であって、前記ネジ機構は、前記カバー容器の内周に形成されたメネジ部と、このメネジ部に前記開口部を通して螺合するように前記係合片に突設された螺合突起とで構成され、この螺合突起は、前記係合片の基端部に突設されてメネジ部の半径方向に弾性変形可能な弾性支持片上に突設されていることを特徴とする化粧料繰出容器。
【請求項５】
請求項１〜４の何れかに記載の化粧料繰出容器を組み立てる方法であって、前記芯チャックを前記連結部の可撓性により屈曲させながら前記開口部からテーパ容器の内部に挿入することを特徴とする化粧料繰出容器の組立方法。
【発明の詳細な説明】
【０００１】
【発明の属する技術分野】
本発明は、化粧料繰出容器およびその組立方法に関し、詳しくは、アイライナ、アイブロウ、アイシャドウ等の棒状化粧料に好適な化粧料繰出容器およびその組立方法に関するものである。
【０００２】
【従来の技術】
アイライナ、アイブロウ、アイシャドウ等の棒状化粧料を繰り出すように構成された化粧料繰出容器が従来一般に知られている（例えば特許文献１参照）。この棒状化粧料繰出容器は、先筒の後部に連結した本体筒の回転操作により、先筒の先端開口から棒状化粧料を進出または後退させる機能を有するものであり、そのための構造として、棒状化粧料を把持して進退駆動される芯チャックが内蔵されている。
【０００３】
【特許文献１】
特許第３２３３９００号公報
【０００４】
【発明が解決しようとする課題】
ところで、前述した従来の棒状化粧料繰出容器では、誤って落とした場合やハンドバック等に入れた状態で押し潰された場合など、外的衝撃や無理な曲げ荷重が作用した場合、性状の脆い棒状化粧料が折損することがあるという問題が指摘されている。
【０００５】
そこで、本発明は、棒状化粧料の折損を極力防止できる機構を有し、その機構を容易に組み込むことができる化粧料繰出容器を提供し、また、その化粧料繰出容器に適した組立方法を提供することを課題とする。
【０００６】
【課題を解決するための手段】
本発明に係る化粧料繰出容器は、棒状化粧料を把持する芯チャックが進退駆動可能に内蔵されている化粧料繰出容器であって、棒状化粧料の繰出口が先端部に開口された筒状のテーパ容器と、このテーパ容器の基端部側を覆ってテーパ容器に相対回転自在に装着される筒状または有底筒状のカバー容器とで容器本体が構成されており、芯チャックは、棒状化粧料の基端部を把持するチャック部と、容器本体に構成された進退駆動機構に係合して進退される係合部とが可撓性のある細径の連結部を介して相互に連結された構造を有し、テーパ容器の基端部側の周面には、芯チャックを半径方向から挿入可能とさせる開口部が形成されていることを特徴とする。
【０００７】
本発明に係る化粧料繰出容器では、落下などによる外的衝撃や曲げ荷重が作用した場合、芯チャックが可撓性のある細径の連結部により屈曲して曲げ荷重を吸収する。このため、芯チャックのチャック部に把持された棒状化粧料には無理な曲げ荷重が作用せず、棒状化粧料の折損が未然に防止される。また、この化粧料繰出容器の製造に当たっては、テーパ容器の周面に形成され開口部を通してテーパ容器内に芯チャックを容易に組み込むことができる。そして、この化粧料繰出容器では、テーパ容器の開口部がカバー容器に覆われるため、良好な外観が得られる。
【０００８】
また、本発明の化粧料繰出容器において、芯チャックの係合部とテーパ容器との間には、係合部の回転止め機構および進退ガイド機構を構成し、係合部とカバー容器との間には、係合部を進退駆動するネジ機構を構成することができる。この化粧料繰出容器では、テーパ容器とカバー容器とを相対回転させると、芯チャックの係合部がテーパ容器との間の回転止め機構によりカバー容器に対して相対回転する。そして、この芯チャックの係合部は、カバー容器との間のネジ機構およびテーパ容器との間の進退ガイド機構により、テーパ容器の軸線に沿って進退駆動される。その結果、芯チャックのチャック部に把持された棒状化粧料がテーパ容器の先端部の繰出口から出没する。
【０００９】
さらに、本発明の化粧料繰出容器において、進退ガイド機構は、テーパ容器の軸方向に沿ってその内部に形成されたガイド孔と、このガイド孔に摺動自在に係合する断面形状に形成された係合部とで構成され、回転止め機構は、テーパ容器の軸方向に沿ってガイド孔の周面に形成され、開口部に連通する係止溝と、この係止溝に係合するように係合部に形成された係合片とで構成することができる。この場合、芯チャックの係合部は、テーパ容器のガイド孔に対し相対回転が規制され、かつ、芯出された状態でガイド孔に沿って進退可能となる。
【００１０】
また、本発明の化粧料繰出容器において、ネジ機構は、カバー容器の内周に形成されたメネジ部と、このメネジ部に開口部を通して螺合するように係合片に突設された螺合突起とで構成することができる。この場合、螺合突起は、係合片の基端部に突設されてメネジ部の半径方向に弾性変形可能な弾性支持片上に突設することにより、メネジ部にガタ付きなく確実に螺合することができ、ネジ機構の機能を十分に発揮することができる。また、螺合突起が突設された弾性支持片は、メネジ部の終端部において螺合突起に過負荷が加わると、メネジ部の半径方向内側へ弾性変形することにより、螺合突起とメネジ部との螺合状態を一時的に解除するトルクリミッターとして機能する。
【００１１】
ここで、本発明に係る化粧料繰出容器の組立方法は、先端部に棒状化粧料の繰出口が開口され、基端部側の周面に芯チャックを半径方向から挿入可能とさせる開口部が形成されている筒状のテーパ容器と、このテーパ容器の基端部側を覆ってテーパ容器に相対回転自在に装着される筒状または有底筒状のカバー容器とで容器本体が構成されており、この容器本体に内蔵される芯チャックが棒状化粧料の基端部を把持するチャック部と、容器本体に構成された進退駆動機構に係合して駆動される係合部とを可撓性のある細径の連結部を介して相互に連結した構造を有する化粧料繰出容器において、芯チャックを連結部の可撓性により屈曲させながら開口部からテーパ容器の内部に挿入することを特徴とする。
【００１２】
この組立方法では、テーパ容器の周面に形成され開口部を通してテーパ容器内に芯チャックを容易に組み込むことができる。また、開口部の長さより長い芯チャックもテーパ容器内に容易に組み込むことができる。
【００１３】
【発明の実施の形態】
以下、図面を参照して本発明に係る化粧料繰出容器の実施の形態を説明する。参照する図面において、図１は一実施形態に係る化粧料繰出容器の縦断面図、図２は図１に示した化粧料繰出容器の構成部品を示す分解斜視図、図３は図２に示したテーパ容器を後方から見た斜視図、図４は図１のＩＶ−ＩＶ線断面図、図５は図２に示した芯チャックの各部の構造を示す拡大斜視図、図６は図２に示したテーパ容器内へ芯チャックを挿入する組立手順を示す斜視図、図７は一実施形態に係る化粧料繰出容器をモジュールとして組み込んだ化粧料塗布容器の概略構造を示す縦断面図である。
【００１４】
一実施形態に係る化粧料繰出容器は、図１および図２に示すように、アイライナ、アイブロウ、アイシャドウ等の棒状化粧料Ａを繰り出すように構成された化粧料繰出容器１である。この化粧料繰出容器１は、棒状化粧料Ａの繰出口２Ａが先端部に開口された筒状のテーパ容器２と、このテーパ容器２の基端部側を覆ってテーパ容器２の中間部に相対回転自在に装着される筒状のカバー容器３とで容器本体が構成されている。そして、この容器本体には、棒状化粧料Ａを把持する芯チャック４が進退駆動可能に内蔵されている。
【００１５】
図２および図３に示すように、テーパ容器２には、外周面が繰出口２Ａに向かって先細りとなるテーパ形状の先端部と、この先端部の外周面に段部２Ｂを介して連続する若干細径の中間部と、この中間部の外周面にテーパ斜面２Ｃを介して連続する細径の基端部とが合成樹脂により一体に成形されている。そして、テーパ容器２の中間部の外周面には、カバー容器３を相対回転自在に装着するための環状突起２Ｄと、カバー容器３との間に一定の回転抵抗を付与するためのＯリング（図示省略）を装着する環状溝２Ｅとが形成されている。なお、テーパ容器２の基端部の端面には、射出成形を容易にするための異形の抜き孔２Ｆが開口されている。
【００１６】
テーパ容器２の内部には、図４に示すような異形断面形状の芯出ガイド孔２Ｇが繰出口２Ａに連続して軸方向に形成されている（図１参照）。この芯出ガイド孔２Ｇは、繰出口２Ａに連続するガイド孔部（ガイド孔）２Ｇ１の周面の対極個所に一対の係止溝部（係止溝）２Ｇ２が形成された異形断面形状の孔であり、芯チャック４の進退駆動機構の一部である回転止め機構および進退ガイド機構を構成する。
【００１７】
ここで、棒状化粧料Ａの断面形状が楕円形とされ、これに対応して繰出口２Ａの断面形状も楕円形とされている関係で（図２参照）、芯出ガイド孔２Ｇは、楕円状の断面形状のガイド孔部２Ｇ１と、このガイド孔部２Ｇ１の周面の短軸方向の対極個所に形成された一対の係止溝部２Ｇ２とを有する構造とされている。そして、この一対の係止溝部２Ｇ２と繰出口２Ａとの間には段部２Ｈが形成されている（図１参照）。
【００１８】
ここで、テーパ容器２の基端部の周面には、図２および図３に示すように、軸方向に沿って延びる長穴状の開口部２Ｊが形成されている。この開口部２Ｊは、芯出ガイド孔２Ｇの係止溝部２Ｇ２（図４参照）と同幅に形成されており、一対の係止溝部２Ｇ２に連続する対極個所に一対形成されている。そして、この開口部２Ｊは、幅方向に若干弾性変形して拡幅することにより、芯チャック４を半径方向から芯出ガイド孔２Ｇ内に組み込み可能としている。
【００１９】
図１および図２に示すように、カバー容器３の先端部は、テーパ容器２の中間部の外周に嵌合して相対回転自在に装着される部分であり、その内周面には、テーパ容器２の中間部の外周面に形成された環状突起２Ｄに係合可能な環状溝３Ａが形成されている。また、カバー容器３の基端部の外周面には、回転操作時の滑止めとしてのローレット３Ｂが形成されている。そして、カバー容器３の先端部を除く部分の内周面には、芯チャック４の進退駆動機構の一部であるネジ機構を芯チャック４との間に構成するメネジ部３Ｃが形成されている。なお、カバー容器３の外周には、化粧料繰出容器１が化粧料塗布容器の一部として組み込まれる際にストッパとして機能するフランジ３Ｄが形成されている。
【００２０】
ここで、芯チャック４は、棒状化粧料Ａの基端部を把持するチャック部４Ａと、容器本体に構成された進退駆動機構に係合して進退される係合部４Ｂとが可撓性のある細径の連結部４Ｃを介して相互に連結された構造を有する。この芯チャック４は、合成樹脂により一体に成形されている。
【００２１】
図５に拡大して示すように、芯チャック４のチャック部４Ａには、図２に示した棒状化粧料Ａの楕円形の基端面が図１に示すように突き当てられる短い楕円柱状の基部４Ａ１と、この基部４Ａ１の端面の短軸方向の２箇所から突出して棒状化粧料Ａの基端部の周面を把持する一対の把持片４Ａ２とが一体に形成されている。このチャック部４Ａは、図４に示したテーパ容器２の芯出ガイド孔２Ｇに摺動自在に挿通されて係合する。すなわち、チャック部４Ａの基部４Ａ１は、芯出ガイド孔２Ｇのガイド孔部２Ｇ１に摺動自在に挿通されて係合し、一対の把持片４Ａ２は、径方向に拡径できる余裕をもって一対の係止溝部２Ｇ２にそれぞれ摺動自在に挿通されて係合する。
【００２２】
図５に示すように、芯チャック４の係合部４Ｂには、テーパ容器２の芯出ガイド孔２Ｇのガイド孔部２Ｇ１（図４参照）に摺動自在に係合してテーパ容器２の軸方向に案内される断面楕円状のスライド部４Ｂ１と、芯出ガイド孔２Ｇの一対の係止溝部２Ｇ２に挿入されてテーパ容器２に対する相対回転が規制される一対の係合片部（係合片）４Ｂ２と、カバー容器３のメネジ部３Ｃに螺合する一対の螺合突起４Ｂ３とが一体に形成されている。
【００２３】
一対の螺合突起４Ｂ３は、係合部４Ｂの一対の係合片部４Ｂ２の基端部から軸方向に突設された一対の弾性支持片４Ｂ４の外面に突設されている。この螺合突起４Ｂ３は、一対の弾性支持片４Ｂ４がメネジ部３Ｃの半径方向に弾性変形可能な弾力を有することにより、メネジ部３Ｃにガタ付きなく確実に螺合する。
【００２４】
また、螺合突起４Ｂ３が突設された弾性支持片４Ｂ４は、メネジ部３Ｃの終端部において螺合突起４Ｂ３に過負荷が加わると、メネジ部３Ｃの半径方向内側へ弾性変形することにより、螺合突起４Ｂ３とメネジ部３Ｃとの螺合状態を一時的に解除してトルクリミッターとして機能する。
【００２５】
このようなテーパ容器２、カバー容器３および芯チャック４からなる一実施形態の化粧料繰出容器１は、以下の手順で組み立てる。まず、図６に示すように、テーパ容器２の開口部２Ｊからその内部の芯出ガイド孔２Ｇに芯チャック４を挿入して組み込む。その際、芯チャック４の連結部４Ｃをその可撓性により屈曲させながらチャック部４Ａ側から係合部４Ｂへと順次開口部２Ｊを幅方向に押し広げつつ芯チャック４を芯出ガイド孔２Ｇに挿入する。
【００２６】
このような組立手順の採用により、テーパ容器２の芯出ガイド孔２Ｇ内に芯チャック４を容易に組み込むことができる。また、開口部２Ｊの長さより長い芯チャック４も芯出ガイド孔２Ｇ内に容易に組み込むことができる。
【００２７】
つぎに、テーパ容器２の基端部を抜き孔２Ｆ側からカバー容器３の先端部内に挿入し、両者を軸方向に相対的に接近移動させることで、テーパ容器２の中間部の外周面にカバー容器３の先端部を嵌合させる。その際、カバー容器３の先端部は、テーパ容器２のテーパ斜面２Ｃに案内されて円滑にテーパ容器２の中間部の外周面に嵌合する。
【００２８】
続いて、テーパ容器２内に挿入された芯チャック４の係合部４Ｂに突設されている一対の螺合突起４Ｂ３がカバー容器３の内周のメネジ部３Ｃに螺合するように、テーパ容器２とカバー容器３とを相対回転させる。そして、両者をさらに相対回転させることで、一対の螺合突起４Ｂ３とメネジ部３Ｃとが螺合したネジ機構により芯チャック４をカバー容器３の基端部側へ後退移動させる。
【００２９】
この状態で、テーパ容器２とカバー容器３とを軸方向にさらに接近移動させる。すると、カバー容器３の先端部が径方向に若干弾性変形しつつその内周面の環状溝３Ａがテーパ容器２の中間部外周面の環状突起２Ｄに係合し、カバー容器３の先端面がテーパ容器２の段部２Ｂに突き当たり、こうしてテーパ容器２にカバー容器３が相対回転自在に装着される。
【００３０】
そこで、テーパ容器２とカバー容器３とを相対回転させて芯チャック４を図１に示す初期位置から前方へ若干（２〜３ｍｍ程度）移動させる。そして、この状態で棒状化粧料Ａの基端部をテーパ容器２の繰出口２Ａからチャック部４Ａの一対の把持片４Ａ２の間に挿入して把持させる。その後、芯チャック４が初期位置へ後退移動するようにテーパ容器２とカバー容器３とを相対回転させ、棒状化粧料Ａをテーパ容器２内に引き込んで収容する。
【００３１】
以上のように組み立てられた一実施形態の化粧料繰出容器１は、テーパ容器２の周面に形成された開口部２Ｊがカバー容器３に覆われるため、良好な外観を得ることができる。
【００３２】
この化粧料繰出容器１では、テーパ容器２内の芯出ガイド孔２Ｇの係止溝部２Ｇ２に芯チャック４の係合部４Ｂの係合片部４Ｂ２が挿入されて回転規制されているため、テーパ容器２とカバー容器３とを相対回転させると、芯チャック４がカバー容器３に対して相対回転する。そして、芯チャック４の係合部４Ｂに突設された一対の螺合突起４Ｂ３がカバー容器３のメネジ部３Ｃに螺合しているため、テーパ容器２とカバー容器３との相対回転に伴ない、芯チャック４がテーパ容器２の軸線に沿って進退駆動される。
【００３３】
その際、芯チャック４は、係合部４Ｂのスライド部４Ｂ１が芯出ガイド孔２Ｇのガイド孔部２Ｇ１に案内されることで、コジレや引っ掛かりの無い円滑な状態で進退駆動される。その結果、芯チャック４のチャック部４Ａの一対の把持片４Ａ２に把持された棒状化粧料Ａがテーパ容器２の先端部の繰出口２Ａから円滑に出没する。
【００３４】
また、芯チャック４がその前進端または後退端に達した状態でテーパ容器２とカバー容器３とを相対回転させると、芯チャック４の係合部４Ｂの弾性支持片４Ｂ４に突設された一対の螺合突起４Ｂ３に過負荷が加わるが、その際、弾性支持片４Ｂ４がカバー容器３のメネジ部３Ｃの半径方向内側へ弾性変形してトルクリミッターとして機能するため、螺合突起４Ｂ３やメネジ部３Ｃの損傷が未然に防止される。
【００３５】
ここで、一実施形態の化粧料繰出容器１では、落下などにより外的衝撃が加わった場合、あるいはハンドバック等に入れた状態で押し潰されて無理な曲げ荷重が作用した場合、芯チャック４が可撓性のある細径の連結部４Ｃにより屈曲して曲げ荷重を吸収する。このため、芯チャック４のチャック部４Ａに把持された棒状化粧料Ａには無理な曲げ荷重が作用せず、棒状化粧料Ａの折損が未然に防止される。
【００３６】
一実施形態に係る化粧料繰出容器１は、棒状化粧料Ａの繰出容器として単体で使用されるほか、図７に示すような化粧料塗布容器１０の一部を構成するモジュールとして使用される。この化粧料塗布容器１０は、パウダー状化粧料を収容した有底筒状の中皿１１を内蔵する筒状の本体ホルダ１２と、中皿１１内のパウダー状化粧料を塗布するチップ１３を小径部に嵌合固定して中皿１１を塞ぐ段付筒状のチップホルダ１４と、化粧料を塗布したり、眉をそろえる巻線ブラシ１５を一端部に突設したブラシホルダ１６と、巻線ブラシ１５を覆うキャップ１７を備えている。
【００３７】
化粧料塗布容器１０において、本体ホルダ１２の一端部（図示左端部）にはチップホルダ１４の小径部が螺合装着され、その先端のチップ１３が中皿１１内に挿入されている。また、本体ホルダ１２の他端部にはブラシホルダ１６が嵌合固定され、これに嵌合装着されたキャップ１７により巻線ブラシ１５が覆われている。そして、一実施形態の化粧料繰出容器１は、カバー容器３の基端部側がチップホルダ１４の大径部内に嵌合装着されることで、化粧料塗布容器１０を構成するモジュールとして組み込まれている。
【００３８】
本発明に係る化粧料繰出容器は、前述した一実施形態に限定されるものではない。例えば、棒状化粧料Ａの断面形状が円形の場合には、これに対応してテーパ容器２の繰出口２Ａ（図２参照）は円形の断面形状に形成され、芯出ガイド孔２Ｇのガイド孔部２Ｇ１（図４参照）も円形の断面形状に形成される。そして、芯チャック４の基部４Ａ１およびスライド部４Ｂ１（図５参照）の断面形状もガイド孔部２Ｇ１に対応した円形の断面形状に形成される。
【００３９】
また、カバー容器３は、フランジ３Ｄの無い筒状で、しかも、テーパ容器２の基端部を完全に覆う有底筒状に形成してもよい。この場合、芯チャック４等の内部構造がカバー容器３により完全に覆われ、このカバー容器３に余分なフランジ３Ｄが無いため、単体の化粧料繰出容器としてさらに良好な外観を得ることができる。
【００４０】
さらに、一実施形態の化粧料繰出容器を構成する芯チャック４は、図８に示す芯チャック４０に変更することができる。この芯チャック４０は、前述した芯チャック４のチャック部４Ａ、係合部４Ｂおよび連結部４Ｃに対応するチャック部４０Ａ、係合部４０Ｂおよび連結部４０Ｃを有し、係合部４０Ｂには、芯チャック４のスライド部４Ｂ１、係合片部４Ｂ２、螺合突起４Ｂ３、弾性支持片４Ｂ４に対応するスライド部４０Ｂ１、係合片部４０Ｂ２、螺合突起４０Ｂ３、弾性支持片４０Ｂ４が形成されている。
【００４１】
ここで、芯チャック４０のチャック部４０Ａには、棒状化粧料Ａを嵌合してその全周を把持する楕円筒状のチャック筒４０Ａ１が形成され、その短軸方向の外周には一対の係合突条４０Ａ２が形成されている。チャック筒４０Ａ１は、テーパ容器２の芯出ガイド孔２Ｇのガイド孔部２Ｇ１に摺動自在に挿通されて係合し、一対の係合突条４０Ａ２は、芯出ガイド孔２Ｇの一対の係止溝部２Ｇ２にそれぞれ摺動自在に挿通されて係合する。そして、各係合突条４０Ａ２の先端部には、係止溝部２Ｇ２内への挿入ガイドとしての斜面４０Ａ３が形成されている。
【００４２】
このような芯チャック４０も可撓性のある細径の連結部４Ｃを有するため、一実施形態の芯チャック４と同様の機能を発揮する。
【００４３】
【発明の効果】
以上説明したように、本発明に係る化粧料繰出容器では、落下などによる外的衝撃や曲げ荷重が作用した場合、芯チャックが可撓性のある細径の連結部により屈曲して曲げ荷重を吸収する。従って、芯チャックのチャック部に把持された棒状化粧料には無理な曲げ荷重が作用せず、その折損を防止することができる。
【００４４】
また、この化粧料繰出容器の製造に当たっては、テーパ容器の周面に形成され開口部を通してテーパ容器内に芯チャックを容易に組み込むことができる。
【００４５】
そして、この化粧料繰出容器では、テーパ容器の開口部がカバー容器に覆われるため、良好な外観を得ることができる。
【図面の簡単な説明】
【図１】本発明の一実施形態に係る化粧料繰出容器の縦断面図である。
【図２】図１に示した化粧料繰出容器の構成部品を示す分解斜視図である。
【図３】図２に示したテーパ容器を後方から見た斜視図である。
【図４】図１のＩＶ−ＩＶ線断面図である。
【図５】図２に示した芯チャックの各部の構造を示す拡大斜視図である。
【図６】図２に示したテーパ容器内へ芯チャックを挿入する組立手順を示す斜視図である。
【図７】一実施形態に係る化粧料繰出容器をモジュールとして組み込んだ化粧料塗布容器の概略構造を示す縦断面図である。
【図８】図５に示した芯チャックの変形例を示す斜視図である。
【符号の説明】
１…化粧料繰出容器、２…テーパ容器、２Ａ…繰出口、２Ｂ…段部、２Ｃ…テーパ斜面、２Ｄ…環状突起、２Ｅ…環状溝、２Ｆ…底板部、２Ｇ…芯出ガイド孔、２Ｇ１…ガイド孔部（ガイド孔）、２Ｇ２…係止溝部（係止溝）、２Ｈ…段部、２Ｊ…開口部、３…カバー容器、３Ａ…環状溝、３Ｂ…ローレット、３Ｃ…メネジ部、３Ｄ…フランジ、４…芯チャック、４Ａ…チャック部、４Ａ１…基部、４Ａ２…把持片、４Ｂ…係合部、４Ｂ１…スライド部、４Ｂ２…係合片部（係合片）、４Ｂ３…螺合突起、４Ｂ４…弾性支持片、４Ｃ…連結部、１０…化粧料塗布容器、１１…中皿、１２…本体ホルダ、１３…チップ、１４…チップホルダ、１５…巻線ブラシ、１６…ブラシホルダ、１７…キャップ、Ａ…棒状化粧料。
【図１】
2004097549.tif 000003
【図２】
2004097549.tif 000004
【図３】
2004097549.tif 000005
【図４】
2004097549.tif 000006
【図５】
2004097549.tif 000007
【図６】
2004097549.tif 000008
【図７】
2004097549.tif 000009
【図８】
2004097549.tif 000010